(57)【要約】【課題】遊技台の前枠の強引なこじ開けを阻止する遊技台の防犯装置において、遊技台の前枠の強引なこじ開けを阻止する前枠こじ開け阻止状態に切り替えるにあたっての作業性を向上させつつ、さらに製造コストを安価なものとする。【解決手段】前枠に当接して前枠の開き方向への移動を規制する規制位置と、前枠の開き方向への移動を許可する許可位置とを有して、規制位置と許可位置との間を切り替え可能にされた開き規制部材６０と、前枠を外枠１１に対して開き状態から閉じ状態とする場合に、この閉じ状態となっていく前枠の底面の接触に連動して、開き規制部材６０を許可位置から規制位置に切り替え規制位置にてロックする規制位置切替機構４０と、シリンダ錠３１の開錠操作に連動して、規制位置にてロックされていた開き規制部材６０のロックを解除して、開き規制部材６０を、規制位置から許可位置に切り替える規制解除機構３０とを備えている。【選択図】図３
2009291309.tif 000002
【特許請求の範囲】
【請求項１】
遊技台の外部に設置され、基枠に対して片側開閉する前枠の、強引なこじ開けを阻止する遊技台の防犯装置であって、
前記前枠が前記基枠に対して閉じ状態となっている場合に前記前枠の開き方向から前記前枠に当接して前記前枠の開き方向への移動を規制する規制位置と、前記前枠の開き方向からの当接を解除して前記前枠の開き方向への移動を許可する許可位置とを有して、前記規制位置と前記許可位置との間を切り替え可能にされた開き規制部材と、
前記前枠を前記基枠に対して開き状態から閉じ状態とする場合に、この閉じ状態となっていく前記前枠の外面の接触に連動して、前記開き規制部材を前記許可位置から前記規制位置に切り替え前記規制位置にてロックする規制位置切替機構と、
シリンダ錠を具備し、該シリンダ錠の開錠操作に連動して、前記規制位置にてロックされていた前記開き規制部材のロックを解除して、前記開き規制部材を、前記規制位置から前記許可位置に切り替える規制解除機構とを備えていることを特徴とする遊技台の防犯装置。
【発明の詳細な説明】
【技術分野】
【０００１】
本発明は、遊技台の外部に設置され、遊技台の前枠の強引なこじ開けを阻止する遊技台の防犯装置に関する。
【背景技術】
【０００２】
従来、スロットマシンに代表される遊技台にあっては、遊技場に設置されて遊技される。ところで、この種の遊技台を遊技する者の中には、遊技台の内部を勝手に操作しようとしたり、遊技台の内部にあるコインを盗み取ろうとしたりするような、いわゆる不正行為者が存在する。このような不正行為者は、バールのようなもので遊技台の前枠を強引にこじ開け、このような不正を働いている。
【０００３】
そこで、従来においては、このような遊技台の前枠の強引なこじ開けを阻止するために、遊技台の外部に設置される遊技台の防犯装置が知られている（例えば、特許文献１および特許文献２参照）。この種の遊技台の防犯装置は、前枠を閉じて施錠状態となった後に、この前枠の開き方向の移動を規制する開き規制部材を備えて構成される。この遊技台の防犯装置によれば、開き規制部材にて遊技台の前枠の開き方向の移動を規制し、遊技台の前枠の強引なこじ開けを阻止できる、前枠こじ開け阻止状態とすることができる。
【特許文献１】特開２００５−３４９０１７公報
【特許文献２】特開２００６−２９６９６５公報
【発明の開示】
【発明が解決しようとする課題】
【０００４】
ところで、上記開示される遊技台の防犯装置にあっては、次のような問題がある。
すなわち、特許文献１にて開示される遊技台の防犯装置では、前枠こじ開け阻止状態に切り替えるにあたっては、リモコン操作により行うものとなっている。そのため、このような遊技台の防犯装置を構成するにあたっては、リモコン投光部とリモコン受光部とリモコン操作に応じて駆動制御させる制御部とを具備させることが必要となり、装置全体の製造コストが高価なものとなってしまう問題が生じていた。
【０００５】
また、特許文献２にて開示される遊技台の防犯装置では、上記したようなリモコンに関する構成を具備させる必要はないものの、前枠こじ開け阻止状態に切り替えるにあたっては、１台ごと手作業により行うものとなっている。そのため、遊技台管理者は、前枠を閉じて施錠状態とした後に、１台ずつ手作業で前枠の開き方向の移動を規制する規制部材を取り付けることが必要であり、作業が煩雑であるという問題生じていた。
【０００６】
本発明は、このような事情に鑑みなされたものであって、本発明が解決しようとする課題は、遊技台の前枠の強引なこじ開けを阻止する遊技台の防犯装置において、遊技台の前枠の強引なこじ開けを阻止する前枠こじ開け阻止状態に切り替えるにあたっての作業性を向上させつつ、さらに製造コストを安価なものとすることにある。
【課題を解決するための手段】
【０００７】
上記課題を解決するため本発明に係る遊技台の防犯装置は、次の手段を採用する。
すなわち、請求項１に係る遊技台の防犯装置は、遊技台の外部に設置され、基枠に対して片側開閉する前枠の、強引なこじ開けを阻止する遊技台の防犯装置であって、前記前枠が前記基枠に対して閉じ状態となっている場合に前記前枠の開き方向から前記前枠に当接して前記前枠の開き方向への移動を規制する規制位置と、前記前枠の開き方向からの当接を解除して前記前枠の開き方向への移動を許可する許可位置とを有して、前記規制位置と前記許可位置との間を切り替え可能にされた開き規制部材と、前記前枠を前記基枠に対して開き状態から閉じ状態とする場合に、この閉じ状態となっていく前記前枠の外面の接触に連動して、前記開き規制部材を前記許可位置から前記規制位置に切り替え前記規制位置にてロックする規制位置切替機構と、シリンダ錠を具備し、該シリンダ錠の開錠操作に連動して、前記規制位置にてロックされていた前記開き規制部材のロックを解除して、前記開き規制部材を、前記規制位置から前記許可位置に切り替える規制解除機構とを備えていることを特徴とする。
【０００８】
この遊技台の防犯装置によれば、前枠が基枠に対して閉じ状態となっている場合に前枠の開き方向から前枠に当接して前枠の開き方向への移動を規制する規制位置と、前枠の前枠の開き方向からの当接を解除して前枠の開き方向への移動を許可する許可位置とを有して、規制位置と許可位置との間を切り替え可能にされた開き規制部材と、前枠を基枠に対して開き状態から閉じ状態とする場合に、この閉じ状態となっていく前枠の外面の接触に連動して、開き規制部材を許可位置から規制位置に切り替え規制位置にてロックする規制位置切替機構とを備えているので、遊技台管理者が、前枠を基枠に対して開き状態から閉じ状態としようとした場合には、規制位置切替機構にて、開き規制部材を閉じ状態となっていく前枠の外面の接触に連動させて、許可位置から規制位置に切り替えることができる。
【０００９】
これによって、遊技台管理者は、前枠こじ開け阻止状態とするにあたって、前枠を基枠に対して閉じ状態とするのみで、前枠の開き方向から前枠に当接して前枠の開き方向への移動を規制する規制位置に、開き規制部材を自動的に位置させることができる。
したがって、遊技台管理者は、前枠こじ開け阻止状態に切り替えるにあたって、前枠を閉じて施錠状態とした後に、わざわざ開き規制部材を規制位置に切り替えるような作業も要らなくなり、作業性を向上させることができる。
また、開き規制部材を許可位置から規制位置に切り替えるにあたっては、規制位置切替機構にて、閉じ状態となっていく前枠の外面の接触に連動させて、許可位置から規制位置に切り替えるので、リモコン投光部およびリモコン受光部や、リモコン操作に応じて駆動制御させる制御部等を削減することができて、製造コストを安価なものとすることができる。
【００１０】
また、この遊技台の防犯装置によれば、前枠を基枠に対して開き状態から閉じ状態とする場合に、この閉じ状態となっていく前枠の外面の接触に連動して、開き規制部材を許可位置から規制位置に切り替え規制位置にてロックするので、開き規制部材は、規制位置に位置したままで、許可位置に変えることができない。
これによって、たとえ不正行為者が、前枠を基枠に対して開けようとして、前枠の開き方向への移動を規制する開き規制部材を、その規制位置から許可位置に変えようしても、開き規制部材は規制位置に位置したまま固定されて、規制位置から許可位置に変えることができない。
したがって、前枠を基枠に対して開き状態から閉じ状態としただけで、不正行為者から前枠のこじ開けを阻止することができる、こじ開け阻止状態を維持することができる。
【００１１】
また、この遊技台の防犯装置によれば、シリンダ錠を具備し、シリンダ錠の開錠操作に連動して、規制位置にてロックされていた開き規制部材のロックを解除して、開き規制部材を、規制位置から許可位置に切り替える規制解除機構を備えているので、シリンダ錠の開錠操作のみで、規制位置切替機構により、規制位置にてロックされていた開き規制部材のロックの解除と、開き規制部材の規制位置から許可位置への切り替えとを同時行うことができる。
これによって、前枠こじ開け阻止状態を解除するにあたっては、遊技台管理者は、シリンダ錠の開錠操作のみで行うことができるので、管理上の作業性を向上させることができる。
【発明の効果】
【００１２】
本発明に係る遊技台の防犯装置によれば、遊技台の前枠の強引なこじ開けを阻止する前枠こじ開け阻止状態に切り替えるにあたっての作業性を向上させつつ、さらに製造コストを安価なものとすることができる。
【発明を実施するための最良の形態】
【００１３】
以下、本発明を実施するための最良の形態について、図面を参照しながら説明する。
図１（Ａ）は前枠１２が外枠１１に対して開き状態となっている場合の斜視図であり、図１（Ｂ）は、前枠１２が外枠１１に対して閉じ状態となっている場合の斜視図である。
図１に示すスロットマシン１０は、本発明の実施の形態となる遊技台の防犯装置２０が取り付けられる遊技台の一例であり、基枠としての外枠１１と、前枠１２とによって筐体構造をなすものである。
【００１４】
外枠１１と前枠１２とは、ヒンジ構造を有した取付部材１３を介して互いは連結されている。つまり、前枠１２は、外枠１１に対して一側をヒンジ結合させて他側を開閉可能に取り付けられ、外枠１１に対して扉状に片側開閉可能な状態となっている。
なお、外枠１１と前枠１２とによってなされた筐体の内部には、スロットマシンとして機能させるための各種の機器が装置される。
【００１５】
この外枠１１および前枠１２の扉状に片側開閉される他側には、外枠１１に対して前枠１２が閉じ位置となった場合に、外枠１１に対して前枠１２を施錠する遊技台用施錠装置１５が設けられている。具体的には、遊技台用施錠装置１５は、外枠１１側の開閉側縁に沿って取り付けられる雌側施錠具１５ａと、前枠１２側の開閉側縁に沿って取り付けられる雄側施錠具１５ｂとを備えて構成される。なお、この雄側施錠具１５ｂは、特に図示しないが、この遊技台用施錠装置１５を開錠操作するためのシリンダ錠を具備する。また、このスロットマシン１０のうち、外枠１１に対して開閉される前枠１２設置側が、着席して遊技する遊技者側となる前側となっている。
【００１６】
このスロットマシン１０が遊技場に設置される場合には、図１に示すように、遊技場に配置される遊技台設置用の張出架台１９に載せて設置される。
なお、この張出架台１９は、図示省略されているが、スロットマシン１０を多数並べて載せて設置させるためのものであり、遊技場内のスロットマシン１０の設置区域に応じた長板状で構成される。
また、張出架台１９の遊技者側となる前側縁１９ａは、図１（Ａ）に示すように、外枠１１を形成する底板１１ａの前側縁１１ｂよりも前方に延出するようになっている。また、前枠１２が外枠１１に対して閉じ状態となっている場合には、図１（Ｂ）に示すように、張出架台１９の前側縁１９ａは、この前枠１２に設けられた箱状のコイン受け１２ａにて隠れるようになっている。
【００１７】
この張出架台１９の前側縁１９ａには、防犯装置２０が取り付けられている。この防犯装置２０は、スロットマシン１０の外部に設置されるものであって、前枠１２の強引なこじ開けを阻止するために、上記した張出架台１９に設置されるものである。
【００１８】
次に、この防犯装置２０を構成する各部について説明する。
図２（Ａ）は開錠状態の防犯装置２０の外観斜視図であり、図２（Ｂ）は前枠こじ開け阻止状態の防犯装置２０の外観斜視図である。図３は、防犯装置２０の分解斜視図である。図４は、筐体２１を省略した前側から見た防犯装置２０の組付け斜視図である。図５は、筐体２１を省略した後側から見た防犯装置２０の組付け斜視図である。
防犯装置２０は、図２および図３に示すように、大略、機構を内蔵する筐体２１と、筐体２１に内蔵される規制解除機構３０および規制位置切替機構４０と、これら規制解除機構３０および規制位置切替機構４０にて位置が切り替えられる開き規制部材６０とを備えて構成される。
なお、以下に説明する防犯装置２０においては、着席して遊技する遊技者側を前側とし、この逆側となる張出架台１９に設置される側を後側と規定する。
【００１９】
まず、規制解除機構３０および規制位置切替機構４０等を内蔵し、矩形に構成される筐体２１について説明する。
筐体２１は、図３に示すように、３つの部材を合体させることにより構成されている。すなわち、筐体２１は、遊技者側となる前側に配置される筐体本体２２と、張出架台１９と接する後側に配置される筐体設置側部２６と、これら筐体本体２２と筐体設置側部２６とが合体されてなる筐体状の内部に設けられる仕切り壁部２９とを備えて構成される。
【００２０】
筐体本体２２は、上壁部２３と前壁部２４と側壁部２５とを備えて構成される。上壁部２３には、略中央位置において、後に説明する規制位置切替機構４０の一部を上方に露出するための上開口部２３ａが設けられている。前壁部２４には、後に説明する開き規制部材６０を外部に露出させるための部材露出用開口部２４ａと、シリンダ錠３１の鍵穴を外部に露出させるための鍵穴露出用開口部２４ｂとが設けられている。
筐体設置側部２６は、後壁部２７と底壁部２８とを備えて構成されるものであって、図示しないが、張出架台１９の前側縁に取り付けるための適宜の取付部材を備える。なお、後壁部２７が、張出架台１９の前側縁に接する個所となる。
【００２１】
この筐体本体２２と、筐体設置側部２６とを合体させて筐体構造を構成し、この筐体構造を構成した内部の中間位置に、仕切り壁部２９が設置される。仕切り壁部２９は、板部材が折曲加工および打抜加工されて形成されている。具体的には、仕切り壁部２９は、開き規制部材６０を嵌挿させるための部材嵌挿用開口部２９ａと、シリンダ錠３１を嵌挿させるための錠嵌挿用露出部２９ｂと、後に説明する係止部３８ａを突出させる係止用開口部２９ｃと、上記した筐体本体２２の内側面と適宜接する支持壁部２９ｄと、後に説明する杆状支持部本体４８ａを受ける支持受け部２９ｅを備える。
【００２２】
次に、規制解除機構３０および規制位置切替機構４０について、図３を参照しながら説明する。なお、規制解除機構３０および規制位置切替機構４０に関する組付けの確認として、図４および図５を参照されたい。
まず、シリンダ錠３１を具備する規制解除機構３０について説明する。
規制解除機構３０は、シリンダ錠３１の開錠操作に連動して、規制位置にロックされていた開き規制部材６０の規制位置のロックを解除し、開き規制部材６０を規制位置から許可位置に切り替えるものである。
【００２３】
すなわち、規制解除機構３０は、大略、シリンダ錠３１と、シリンダ錠３１の開錠操作にて回転する錠用カム３２と、錠用カム３２に連結され連動する第１リンク部材３３および第２リンク部材３６とを備えて構成される。これらシリンダ錠３１、錠用カム３２、第１リンク部材３３、第２リンク部材３６は、適宜の螺子部材３９にて取り付けられている。
【００２４】
シリンダ錠３１は、開錠操作にて錠用カム３２を回転させるものであって、適宜の取付用フランジ部３１ａを備えて構成される。なお、シリンダ錠３１は、鍵を挿入して開錠操作のみする場合にのみ錠用カム３２を回転させるようになっている。このシリンダ錠３１は、図示においては見えないが、開錠操作にて回転し且つ錠用カム３２の嵌合孔３２ａに嵌合される回転軸を備える。なお、このシリンダ錠３１は、適宜の螺子部材３９により取付用フランジ部３１ａにて上記した仕切り壁部２９に取り付けられ、錠露出用開口部２４ｂから開錠操作可能に外部にシリンダ錠３１の鍵穴を露出させている。
【００２５】
錠用カム３２は、上記したシリンダ錠３１の回転軸に取り付けられ、シリンダ錠３１の開錠操作に連動するように、回転軸の回転にしたがって回転するものである。具体的には、錠用カム３２は、シリンダ錠３１の回転軸が嵌合される嵌合孔３２ａが設けられた円形状に形成されており、適宜のずれた位置に、第１リンク部材３３および第２リンク部材３６を取り付けるための２つの取付部３２ｂ，３２ｃが設けられている。
【００２６】
第１リンク部材３３および第２リンク部材３６のそれぞれは、錠用カム３２とともに、開錠操作となる回転運動を往復運動に変換するためのものである。これら第１リンク部材３３および第２リンク部材３６のそれぞれは、２つずつの杆状部材３４，３５，３７，３８が適宜の螺子部材３９にて連結されて構成される。なお、杆状部材３４，３５，３７，３８同士の連結は、適宜の遊びをもたせて連結させるために、螺子部材３９が嵌め込まれる長穴３４ａ，３７ａを備える。
【００２７】
すなわち、第１リンク部材３３は、一端側が錠用カム３２の取付部３２ｂに取り付けられ中間位置が第２杆状部材３５の一端側に連結される第１杆状部材３４と、一端側が第１杆状部材３４の中間位置に連結され他端がロック部材５１の取付孔５１ｃに嵌合される凸部３５ａを備えた第２杆状部材３５とを備える。
【００２８】
また、第２リンク部材３６は、一端側が錠用カム３２の取付部３２ｃに取り付けられ中間位置が第４杆状部材３８の一端側に連結される第３杆状部材３７と、一端側が第３杆状部材３７の中間位置に連結され他端が回転用カム６２の取付部６２ｃに取り付けられる第４杆状部材３８とを備える。この第２リンク部材３６の第４杆状部材３８には、後に説明するが、その中間位置において前側に突出するように鉤状に形成された係止部３８ａが設けられている。この係止部３８ａは、上記した仕切り壁部２９の係止用開口部２９ｃから前側に突出し、切替用杆状部４７に係止される個所である。
【００２９】
次に、規制位置切替機構４０について説明する。
この規制位置切替機構４０は、前枠１２を外枠１１に対して開き状態から閉じ状態とする場合に、この閉じ状態となっていく前枠１２の外面としての底面との接触に連動して、開き規制部材６０を許可位置から規制位置に切り替え、開き規制部材６０を規制位置にてロックするものである。
すなわち、規制位置切替機構４０は、大略、押下げ機構４１と、開き規制部材６０を規制位置にてロックするロック機構５０とを備えて構成される。
【００３０】
押下げ機構４１は、閉じ状態となっていく前枠１２の底面の接触に連動して、開き規制部材６０を許可位置から規制位置に切り替えるものである。すなわち、押下げ機構４１は、大略、閉じ状態となっていく前枠１２の底面との接触に応じて押し下げられる押下げ機構本体４２と、この押下げに応じて連動する連動部４６とを備えて構成される。
【００３１】
押下げ機構本体４２は、各部を支持しつつ仕切り壁部２９に取り付けられる支持基体４３と、軸支部材４４ａを介して支持基体にて回転可能に支持される外面接触部材４４と、外面接触部材４４にて押下げられるスライド部材４５と、スライド部材４５を上方に付勢する付勢ばね４５ａとを備えて構成される。なお、この押下げ機構本体４２は、適宜の螺子部材４３ｄにより仕切り壁部２９に取り付けられている。
【００３２】
支持基体４３は、上記した軸支部材４４ａを支持するための前側に突出する腕部４３ａと、スライド部材４５のスライド移動を案内するフランジ部４３ｂと、付勢ばね４５ａの下端と当接する当接部４３ｃとを備える。
外面接触部材４４は、側面視略扇状に形成されるものであって、上側傾斜面が上記した前枠１２の底面と接触する個所となっており、下面がスライド部材４５の上面に接触する個所となっている。この外面接触部材４４は、スライド部材４５を介して付勢ばね４５ａの付勢力により、上方に付勢されている。
【００３３】
スライド部材４５は、略矩形状に形成されるものであって、上面が外面接触部材４４の下面と接触する個所となっており、下面が付勢ばね４５ａの上端と当接する個所となっている。また、スライド部材４５は、前側面において、後に説明する連動部４６の切替用杆状部４７に当接する突出当接部４５ｂが設けられている。なお、このスライド部材４５は、付勢ばね４５ａの付勢力により上方に付勢されている。
【００３４】
連動部４６は、大略、切替用杆状部４７と、この切替用杆状部４７を弾性支持する杆状支持部４８と、この切替用杆状部４７が移動する際の移動を案内する案内傾斜部４９とを備えて構成される。なお、これら切替用杆状部４７、杆状支持部４８、案内傾斜部４９は、上記した仕切り壁部２９に取り付けられている。
【００３５】
切替用杆状部４７は、上記した第４杆状部材３８に設けられた係止部３８ａが係止するとともに、この係止を解除するための上記したスライド部材４５に設けられた突出当接部４５ｂが当接する部材である。具体的には、切替用杆状部４７は、一端側に支持孔４７ａが設けられ、他端側に傾斜面４７ｂが設けられた、略杆状に形成されている。また、この傾斜面４７ｂの上方端においては、第４杆状部材３８に設けられた係止部３８ａを係止させるための係止用突出部４７ｃが設けられている。
【００３６】
杆状支持部４８は、大略、切替用杆状部４７を回転且つスライド移動可能に案内支持する杆状支持部本体４８ａと、切替用杆状部４７を付勢する２つの付勢ばね４８ｂ，４８ｃとを備えて構成される。
杆状支持部本体４８ａは、仕切り壁部２９に設けられた支持受け部２９ｅに嵌められるものピン状に形成されるものであって、仕切り壁部２９に対して前側に突出するようになっている。２つの付勢ばね４８ｂ，４８ｃは、切替用杆状部４７を後側に向かって付勢する第１付勢ばね４８ｂと、切替用杆状部４７の回転側の他端を上側に向かって付勢する第２付勢ばね４８ｃとにより構成されている。つまり、切替用杆状部４７は、第１付勢ばね４８ｂにより後側に向かって付勢されるとともに、切替用杆状部４７の回転側の他端は、第２付勢ばね４８ｃにより上側に向かって付勢される。
【００３７】
案内傾斜部４９は、上記のように付勢された切替用杆状部４７の回転側の他端が下側に移動する場合に、この移動を案内するためのものである。具体的には、下側に向かうにしたがって前側に突き出るような勾配の傾斜面が設けられている。なお、この案内傾斜部４９は、適宜の螺子部材４９ａにより仕切り壁部２９に取り付けられている。
【００３８】
ロック機構５０は、大略、ロック部材５１と、ロック部材５１を回転支持する軸支部材５２と、下側に位置するロック部材５１の回転側端部を内側に付勢する付勢ばね５３とを備える。
ロック部材５１は、略棒状に形成されるものであって、上側に位置させる一端側に支持孔５１ａが設けられ、下側に位置させる他端側に前側に向かって突出する係止用凸部５１ｂが設けられている。また、中間部には、第２杆状部材３５に設けられた凸部３５ａが嵌合される取付孔５１ｃが設けられている。
【００３９】
次に、開き規制部材６０について説明する。
開き規制部材６０は、前枠１２が外枠１１に対して閉じ状態となっている場合に前枠１２の開き方向から前枠１２に当接して前枠１２の開き方向への移動を規制する規制位置と、前枠１２の前枠１２の開き方向からの当接を解除して前枠１２の開き方向への移動を許可する許可位置とを有して、規制位置と許可位置との間を切り替え可能に構成されるものである。なお、この開き規制部材６０の規制位置と許可位置とは、回転することによって切替えられるものであり、これらの規制位置と許可位置とは、回転停止位置に設定されている。
【００４０】
すなわち、開き規制部材６０は、大略、規制位置と許可位置との間を回転することにより切り替わる規制部材本体６１と、この規制部材本体６１の回転軸端部６１ａに設けられる回転用カム６２と、規制部材本体６１を規制位置から許可位置に向けて付勢する付勢ばね６３とを備えて構成される。
【００４１】
規制部材本体６１は、円柱部材の中間部を垂直に折り曲げたようなＬ字形状を有して形成されるものであって、上記した仕切り壁部２９にて回転支持される。この規制部材本体６１は、仕切り壁部２９にて支持される側（回転軸端部６１ａ側）が、筐体２１内に配置されている。このため、規制部材本体６１の露出側（前枠当接部６１ｂ側）は、前枠１２に対して平行方向に位置するようになっている。
回転用カム６２は、略円板形状を有して形成されるものであって、上記したロック部材５１の係止用凸部５１ｂが嵌合する係止用凹部６２ａが設けられている。なお、規制部材本体６１と回転用カム６２とは、適宜の螺子部材６２ｂにより一体化されている。
【００４２】
以上のように構成された防犯装置２０は、次のように作動する。
図６は、開き規制部材６０が許可位置に位置している場合の防犯装置２０である。図７は、開き規制部材６０が規制位置に位置している場合の防犯装置２０である。また、図６（Ａ）および図７（Ａ）は、前側から見た正面図であり、図６（Ｂ）および図７（Ｂ）は、後側から見た斜視図である。なお、図６および図７は、動きが理解し易いように、筐体２１の図示が省略されている。
【００４３】
すなわち、図１（Ａ）に示すように、前枠１２が外枠１１に対して開き状態となっている場合には、図６（Ａ）、図６（Ｂ）に示すように、開き規制部材６０は許可位置に位置していることとなる。具体的には、前枠１２が外枠１１に対して開き状態となっている場合には、図１（Ａ）および図２（Ａ）に示すように、規制位置切替機構４０を構成する外面接触部材４４は、筐体２１の上開口部２３ａから外部に突出可能になっている。つまり、外面接触部材４４は、付勢ばね４５ａの付勢力により、上開口部２３ａから外部に突出している。この際、規制位置切替機構４０を構成する突出当接部４５ｂは、切替用杆状部４７を押し下げることのない状態となっている。
【００４４】
これによって、上記した付勢ばね４８ｂ，４８ｃの付勢力によって、杆状支持部４８は、上側且つ後側に位置し、第４杆状部材３８の係止部３８ａを係止させている。なお、この際、この係止部３８ａは、係止用突出部４７ｃによって図６（Ａ）の図示右方向の動きが規制されている。そうすると、第４杆状部材３８は、図６（Ａ）の図示左方向に位置することとなり、回転用カム６２は、図６（Ｂ）に示すように、付勢ばね６３の付勢力に抗して回転し、規制部材本体６１を許可位置に位置させるようになっている。この際、ロック部材５１（ロック機構５０）の係止用凸部５１ｂは、回転用カム６２の係止用凹部６２ａに嵌合していない状態となっている。
【００４５】
次いで、この開き状態から、図１（Ｂ）に示すように、前枠１２を外枠１１に対して閉じ状態とする場合には、特に図示していないが、前枠１２の底面が、閉じ方向に進むにしたがって、上開口部２３ａから外部に突出する外面接触部材４４を押し下げていくこととなる。そうすると、外面接触部材４４が押し下げにそってスライド部材４５も押し下げられ、このスライド部材４５の突出当接部４５ｂにより、切替用杆状部４７を押し下げていく。
【００４６】
ここで、切替用杆状部４７の押下げは、その下側に設けられた案内傾斜部４９に案内される。つまり、切替用杆状部４７は、付勢ばね４８ｂ，４８ｃの付勢力に抗して、下側且つ前側に移動していく。そうすると、図７（Ａ）に示すように、それまで切替用杆状部４７に係止していた第４杆状部材３８の係止部３８ａの係止が外され、第４杆状部材３８は、図７（Ａ）の図示右方向に位置することができるフリー状態となる。
【００４７】
これによって、回転用カム６２は付勢ばね６３の付勢力にしたがって回転し、これに応じて規制部材本体６１を図示左回りで回転させ、図７（Ｂ）に示すように、規制位置に位置させることとなる。この際、ロック部材５１（ロック機構５０）の係止用凸部５１ｂは、回転用カム６２の係止用凹部６２ａに嵌合した状態となる。このようにして、前枠１２を外枠１１に対して閉じ状態とした場合には、図１（Ｂ）に示すように、開き規制部材６０を規制位置に位置させることができる。
【００４８】
ここで、遊技台管理者が、シリンダ錠３１にて開錠操作を行った場合には、次のように作動する。すなわち、遊技台管理者が開錠するように、シリンダ錠３１を、図７（Ａ）の図示右回り回転させると、これにしたがって錠用カム３２も図示右回りに回転する。そうすると、この錠用カム３２の回転にしたがって、第１リンク部材３３（第１杆状部材３４, 第２杆状部材３５）を図示右方向に移動させることとなる。これによって、ロック部材５１が、付勢ばね５３の付勢力に抗して回転し、それまで回転用カム６２の係止用凹部６２ａに嵌合していたロック部材５１（ロック機構５０）の係止用凸部５１ｂの嵌合が外される。そして、第２リンク部材３６（第３杆状部材３７, 第４杆状部材３８）の引っ張りにより、回転用カム６２は付勢ばね６３の付勢力に抗して回転し、これに応じて規制部材本体６１を図示右回りで回転させ、図６（Ａ）に示すように、許可位置に位置させることとなる。この際、第４杆状部材３８の係止部３８ａは、切替用杆状部４７の傾斜面４７ｂを上っていき、係止用突出部４７ｃを乗り越えて切替用杆状部４７に係止し、開き規制部材６０を許可位置に維持させることができる。
【００４９】
この防犯装置２０によれば、前枠１２が外枠１１に対して閉じ状態となっている場合に前枠１２の開き方向から前枠１２に当接して前枠１２の開き方向への移動を規制する規制位置と、前枠１２の前枠１２の開き方向からの当接を解除して前枠１２の開き方向への移動を許可する許可位置とを有して、規制位置と許可位置との間を切り替え可能にされた開き規制部材６０と、前枠１２を外枠１１に対して開き状態から閉じ状態とする場合に、この閉じ状態となっていく前枠１２の底面の接触に連動して、開き規制部材６０を許可位置から規制位置に切り替え規制位置にてロックする規制位置切替機構４０とを備えているので、遊技台管理者が、前枠１２を外枠１１に対して開き状態から閉じ状態としようとした場合には、規制位置切替機構４０にて、開き規制部材６０を閉じ状態となっていく前枠１２の底面の接触に連動させて、許可位置から規制位置に切り替えることができる。
【００５０】
これによって、遊技台管理者は、前枠こじ開け阻止状態とするにあたって、前枠１２を外枠１１に対して閉じ状態とするのみで、前枠１２の開き方向から前枠１２に当接して前枠１２の開き方向への移動を規制する規制位置に、開き規制部材６０を自動的に位置させることができる。
したがって、遊技台管理者は、前枠こじ開け阻止状態に切り替えるにあたって、前枠１２を閉じて施錠状態とした後に、わざわざ開き規制部材６０を規制位置に切り替えるような作業も要らなくなり、作業性を向上させることができる。
また、開き規制部材６０を許可位置から規制位置に切り替えるにあたっては、規制位置切替機構４０にて、閉じ状態となっていく前枠１２の底面の接触に連動させて、許可位置から規制位置に切り替えるので、リモコン投光部およびリモコン受光部や、リモコン操作に応じて駆動制御させる制御部等を削減することができて、製造コストを安価なものとすることができる。
【００５１】
また、この防犯装置２０によれば、前枠１２を外枠１１に対して開き状態から閉じ状態とする場合に、この閉じ状態となっていく前枠１２の底面の接触に連動して、開き規制部材６０を許可位置から規制位置に切り替え規制位置にてロックするので、開き規制部材６０は、規制位置に位置したまま固定されることとなる。
これによって、たとえ不正行為者が、前枠１２を外枠１１に対して開けようとして、開き規制部材６０を、規制位置から許可位置に変えようしても、開き規制部材６０は、規制位置に位置したままで、許可位置に変えることができない。
したがって、前枠１２を外枠１１に対して開き状態から閉じ状態としただけで、不正行為者から前枠１２のこじ開けを阻止することができる、こじ開け阻止状態を維持することができる。
【００５２】
また、この防犯装置２０によれば、シリンダ錠３１を具備し、シリンダ錠３１の開錠操作に連動して、規制位置にてロックされていた開き規制部材６０のロックを解除して、開き規制部材６０を、規制位置から許可位置に切り替える規制解除機構３０を備えているので、シリンダ錠３１の開錠操作のみで、規制位置切替機構４０により、規制位置にてロックされていた開き規制部材６０のロックの解除と、開き規制部材６０の規制位置から許可位置への切り替えとを同時行うことができる。
これによって、前枠こじ開け阻止状態を解除するにあたっては、遊技台管理者は、シリンダ錠３１の開錠操作のみで行うことができるので、管理上の作業性を向上させることができる。
【００５３】
この防犯装置２０によれば、スロットマシン１０の前枠１２の強引なこじ開けを阻止する前枠こじ開け阻止状態に切り替えるにあたっての作業性を向上させつつ、さらに製造コストを安価なものとすることができる。
【００５４】
なお、本発明に係る遊技台の防犯装置にあっては、上記した実施の形態に限定されるものではなく、本発明の要旨を変更しない範囲で適宜に選択変更することができる。
例えば、上記実施の形態においては、遊技台の一例としてスロットマシン１０を挙げ、遊技台の防犯装置に関して説明するものであった。しかしながら、本発明に係る遊技台は、これに限定されることなく、例えば、パチンコ機等の遊技盤面を備えて構成されるものであってもよい。
【００５５】
また、上記実施の形態における開き規制部材６０は、円柱部材の中間部を垂直に折り曲げたようなＬ字形状を有して形成された規制部材本体６１を備えるものであったが、本発明に係る開き規制部材は、これに限定されることなく、前枠が基枠に対して閉じ状態となっている場合に前枠の開き方向から前枠に当接して前枠の開き方向への移動を規制する規制位置と、前枠の開き方向からの当接を解除して前枠の開き方向への移動を許可する許可位置とを有して、規制位置と許可位置との間を切り替え可能にされた適宜に形成される規制部材本体等の適宜の部材が備えられるものであればよい。
【００５６】
また、上記実施の形態における規制位置切替機構４０は、前枠１２を外枠１１に対して開き状態から閉じ状態とする場合に、この閉じ状態となっていく前枠１２の外面としての底面との接触に連動して、開き規制部材６０を許可位置から規制位置に切り替える押下げ機構４１と、開き規制部材６０を規制位置にてロックするロック機構５０を備えて構成されるものであったが、本発明に係る規制位置切替機構は、これに限定されることなく、前枠を基枠に対して開き状態から閉じ状態とする場合に、この閉じ状態となっていく前枠の外面の接触に連動して、開き規制部材を許可位置から規制位置に切り替える適宜の機構と、規制位置に切り替えた後に開き規制部材を規制位置にてロックする適宜の機構が設けられるものであればよい。
【００５７】
また、上記実施の形態における規制解除機構３０は、シリンダ錠３１と、シリンダ錠３１の開錠操作にて回転する錠用カム３２と、錠用カム３２に連結され連動する第１リンク部材３３および第２リンク部材３６とを備えて構成されるものであったが、本発明に係る規制位置切替機構は、これに限定されることなく、シリンダ錠を具備し、シリンダ錠の開錠操作に連動して、規制位置にてロックされていた開き規制部材のロックを解除して、開き規制部材を、規制位置から許可位置に切り替える適宜の機構が設けられるものであればよい。
【図面の簡単な説明】
【００５８】
【図１】実施の形態となる遊技台の防犯装置、およびスロットマシンの筐体構造を示す斜視図である。
【図２】防犯装置の外観斜視図である。
【図３】防犯装置の分解斜視図である。
【図４】筐体を省略した前側から見た開錠状態の防犯装置の組付け斜視図である。
【図５】筐体を省略した後側から見た開錠状態の防犯装置の組付け斜視図である。
【図６】開き規制部材が許可位置に位置している場合の防犯装置である。
【図７】開き規制部材が規制位置に位置している場合の防犯装置である。
【符号の説明】
【００５９】
１０  スロットマシン（遊技台）
１１  外枠
１２  前枠
１３  取付部材
１５  遊技台用施錠装置
１９  張出架台
２０  防犯装置
２１  筐体
３０  規制解除機構
３１  シリンダ錠
３２  錠用カム
３３  第１リンク部材
３４  第１杆状部材
３５  第２杆状部材
３６  第２リンク部材
３７  第３杆状部材
３８  第４杆状部材
３８ａ  係止部
４０  規制位置切替機構
４４  外面接触部材
４５  スライド部材
４５ｂ  突出当接部
４６  連動部
４７  切替用杆状部
４７ｂ  傾斜面
４７ｃ  係止用突出部
４９  案内傾斜部
５０  ロック機構
５１  ロック部材
５１ｂ  係止用凸部
６０  開き規制部材
６１  規制部材本体
６２ａ  係止用凹部
６２  回転用カム
【図１】
2009291309.tif 000003
【図２】
2009291309.tif 000004
【図３】
2009291309.tif 000005
【図４】
2009291309.tif 000006
【図５】
2009291309.tif 000007
【図６】
2009291309.tif 000008
【図７】
2009291309.tif 000009